(57)【特許請求の範囲】
【請求項１】
表面部材と裏面部材とから形成され複数枚のティッシュが収容される包装体と、
前記包装体の前記裏面部材と共に筒状部を形成するように前記裏面部材に接続された面状のポケット取付部と、
前記ポケット取付部の前記筒状部の端部に接続され、前記筒状部に折り込み収納可能な第１ポケット部と、
を備える
ことを特徴とするティッシュケース。
【請求項２】
請求項１に記載のティッシュケースであって、
前記第１ポケット部は、前記ポケット取付部の前記筒状部の端部との接続箇所に破線切込部を有している、又は前記ポケット取付部に着脱可能である
ことを特徴とするティッシュケース。
【請求項３】
請求項１又は２に記載のティッシュケースであって、
前記ポケット取付部は、前記包装体の前記裏面部材に対向する面と反対側に第２ポケット部を備えている
ことを特徴とするティッシュケース。
【請求項４】
請求項１〜３のいずれか一項に記載のティッシュケースであって、
前記包装体は、略矩形形状をしている
ことを特徴とするティッシュケース。
【請求項５】
請求項４に記載のティッシュケースであって、
前記ポケット取付部は、対向する第１の辺が前記包装体の対向する第１の辺に接続される
ことを特徴とするティッシュケース。
【請求項６】
請求項５に記載のティッシュケースであって、
前記第１ポケット部は、前記ポケット取付部の第１の辺に直角な第２の辺である前記筒状部の端部の少なくとも一方に接続されている
ことを特徴とするティッシュケース。
【請求項７】
請求項６に記載のティッシュケースであって、
前記ポケット取付部の前記第２の辺の両辺に前記第１ポケット部が接続されている
ことを特徴とするティッシュケース。
【請求項８】
請求項６または７に記載のティッシュケースであって、
前記第１ポケット部は、前記ポケット取付部の前記第２の辺に接続された辺と直交する辺に第３ポケット部を備えている
ことを特徴とするティッシュケース。
【請求項９】
請求項６に記載のティッシュケースであって、
前記第１の辺は短辺、前記第２の辺は長辺である
ことを特徴とするティッシュケース。
【請求項１０】
請求項９に記載のティッシュケースであって、
前記包装体は、前記表面部材の短辺方向中心位置に長辺方向に沿って設けられる開口部を有している
ことを特徴とするティッシュケース。
【発明の詳細な説明】
【技術分野】
【０００１】
本発明は、ティッシュケースに関する。
【背景技術】
【０００２】
ポケットティッシュは、ポケットあるいはカバン等に入れて携行できる小型のティッシュケースである。しかし、ポケットティッシュからティッシュペーパーを取り出して使用した後に、ゴミとしてすぐ捨てられない場合もある。そこで、使用済みのティッシュペーパーの処理のために、特許文献１のようなポケットティッシュとゴミを入れる袋を一体に収納した袋が考えられている。
【先行技術文献】
【特許文献】
【０００３】
【特許文献１】特開平１１−１２４１８８号公報
【発明の概要】
【発明が解決しようとする課題】
【０００４】
特許文献１のごみ入れ付ポケットティッシュ携帯袋は、袋の内側にゴミを収納するための中袋を取り付けており、袋そのものが大きく嵩張るものとなってしまう。また、袋と中袋が一体になっているため、ゴミ袋を別にして使用することができない。
【０００５】
本発明は、ゴミ袋をコンパクトに収納できる使い勝手の良いティッシュケースを提供することを目的とする。
【課題を解決するための手段】
【０００６】
本発明は、上記課題の少なくとも１つを解決するものであるが、その例を挙げるならば、次の通りである。すなわち、本発明の一態様であるティッシュケースは、表面部材と裏面部材とから形成され複数枚のティッシュが収容される包装体と、前記包装体の前記裏面部材と共に筒状部を形成するように前記裏面部材に接続された面状のポケット取付部と、前記ポケット取付部の前記筒状部の端部に接続され、前記筒状部に折り込み収納可能な第１ポケット部と、を備えることを特徴とする。
【０００７】
前記第１ポケット部は、前記ポケット取付部の前記筒状部の端部との接続箇所に破線切込部を有している、又は前記ポケット取付部に着脱可能であってもよい。
【０００８】
前記ポケット取付部は、前記包装体の前記裏面部材に対向する面と反対側に第２ポケット部を備えていてもよい。
【０００９】
前記包装体は、略矩形形状をしていてもよい。
【００１０】
前記ポケット取付部は、対向する第１の辺が前記包装体の対向する第１の辺に接続されていてもよい。
【００１１】
前記第１ポケット部は、前記ポケット取付部の第１の辺に直角な第２の辺である前記筒状部の端部の少なくとも一方に接続されていてもよい。
【００１２】
前記ポケット取付部の前記第２の辺の両辺に前記第１ポケット部が接続されていてもよい。
【００１３】
前記第１ポケット部は、前記ポケット取付部の前記第２の辺に接続された辺と直交する辺に第３ポケット部を備えていてもよい。
【００１４】
前記第１の辺は短辺、前記第２の辺は長辺であってもよい。
【００１５】
前記包装体は、前記表面部材の短辺方向中心位置に長辺方向に沿って設けられる開口部を有していてもよい。
【発明の効果】
【００１６】
本発明によれば、ゴミ袋をコンパクトに収納できる使い勝手の良いティッシュケースを提供することができる。
【図面の簡単な説明】
【００１７】
【図１】本実施形態に係るティッシュケースの概略構成例を示す図である。
【図２】本実施形態に係るティッシュケースの概略構成例を示す図である。
【図３】本実施形態に係るティッシュケースのポケット部の切り離し構造の一例を示す斜視図である。
【図４】本実施形態に係るティッシュケースの使用方法の一例を示す図である。
【図５】本実施形態に係るティッシュケースのポケット部の使用方法の一例を示す図である。
【図６】本実施形態に係るティッシュケースの変形例を示す図である。
【発明を実施するための形態】
【００１８】
本発明の実施形態の例について、以下、図に基づいて説明する。
【００１９】
図１および図２は、本実施形態に係るティッシュケース１の概略構成例を示している。図１（ａ）は、ティッシュケース１の正面図、図１（ｂ）は、ティッシュケース１の背面図、図２（ａ）は、ティッシュケース１の正面からの斜視図、図２（ｂ）は、ティッシュケース１の背面からの斜視図を示している。図３は、本実施形態に係るティッシュケース１のポケット部の切り離し構造の一例を示す斜視図である。
【００２０】
本実施形態に係るティッシュケース１は、包装体１０に複数枚のティッシュペーパーが取り出し可能に収容され、また、包装体１０に接続された第１ポケット部３０を包装体１０から分離して使用済みのティッシュペーパー等を入れて捨てることができるものである。
【００２１】
ティッシュケース１は、包装体１０と、ポケット取付部２０と、第１ポケット部３０と、を備えている。包装体１０は、表面部材１１と、裏面部材１２と、から形成され、略矩形形状を有する袋状をしている。包装体１０は、袋状をしていることで立体的になり内部にティッシュペーパーを収容することができる。包装体１０は、対向する第１の辺と、第１の辺に直角な対向する第２の辺とからなっている。ここで、第１の辺は、短辺、第２の辺は、長辺である。なお、第１の辺と第２の辺は、同じ長さであってもよい。包装体１０は、布、不織布、紙、ポリエチレン等、可撓性を有するシート状の素材で形成される。
【００２２】
包装体１０は、表面部材１１の短辺方向中心位置に長辺方向に沿って設けられる開口部１３を有している。開口部１３は、包装体１０の表面部材１１に切り欠かれて形成され、ティッシュペーパーを最初に使用する際に引き開けることができる。あるいは、開口部１３は、開口縁部が重ね合わさるように形成され、市販または無料配布されているポケットティッシュを袋ごと開口部１３から入れ込んで使用するものであってもよい。
【００２３】
ポケット取付部２０は、包装体１０と略同じ大きさの面状の略矩形形状であり、包装体１０の裏面部材１２と対面するように配置されている。ポケット取付部２０は、包装体１０と同様に、布、不織布、紙、ポリエチレン等の可撓性を有するシート状の素材で形成される。ポケット取付部２０は、対向する第１の辺である短辺が、包装体１０の対向する第１の辺である短辺に接続されている。包装体１０とポケット取付部２０の短辺同士が接続されることにより、包装体１０の裏面部材１２とポケット取付部２０との間に長辺同士を結ぶ方向に抜ける筒状の空間が形成される。この筒状空間Ｓ（筒状部ともいう）は、後述するように、第１ポケット部３０を折り込んで収納する収納部として機能する。ポケット取付部２０は、包装体１０より長辺が少し長く形成されていてもよい。ポケット取付部２０の長辺を包装体１０より長く形成することで、筒状空間Ｓにゆとりが生まれ、包装体１０にポケットティッシュが多めに収容されて包装体１０が厚くなった場合でも、筒状空間Ｓに第１ポケット部３０を容易に収納することができる。
【００２４】
また、ポケット取付部２０は、裏側（裏面部材１２と対向する面と反対側）に、第２ポケット部２１を有する袋状をしている。第２ポケット部２１は、ポケット取付部２０の短辺と平行な方向に開口部分２２を有しており、開口部分２２から延びる平面部分２３を有している。
【００２５】
第１ポケット部３０は、略矩形形状の袋状であり、蓋部３１と、開口部分３２とを有している。第１ポケット部３０は、長辺と平行な方向に開口部分３２を有している。開口部分３２から延びる蓋部３１が、ポケット取付部２０の長辺に接続されている。第１ポケット部３０の長辺の長さ（蓋部３１の端部の長さ）は、ポケット取付部２０の長辺より短くなっている。第１ポケット部３０は、ポケット取付部２０に接続された蓋部３１の長辺と直交する短辺の長さが、包装体１０およびポケット取付部２０の短辺と同じか短く形成される。第１ポケット部３０は、包装体１０と同様、布、不織布、紙、ポリエチレン等の可撓性を有するシート状の素材で形成される。
【００２６】
第１ポケット部３０は、ポケット取付部２０の長辺の一方または両方に設けられる。図１に示すように、第１ポケット部３０は、異なる大きさを有している。第１ポケット部３０を異なる大きさで形成することにより、処理したいゴミ等の量や大きさに合わせて、第１ポケット部３０を選択して使用することができる。
【００２７】
図３（ａ）に示すように、第１ポケット部３０の蓋部３１とポケット取付部２０の長辺との接続箇所には、破線切込部３３が設けられている。これにより、第１ポケット部３０をポケット取付部２０から切り離して（図３（ｂ））、第１ポケット部３０単体でゴミ袋として使用することができる。
【００２８】
あるいは、第１ポケット部３０の蓋部３１の端部およびポケット取付部２０の長辺の端部に、例えば面ファスナー、スナップボタン等の着脱部材を縫い付けたり、接着剤等で取り付けたりして、第１ポケット部３０がポケット取付部２０から着脱可能に設けられていてもよい。これにより、例えば、第１ポケット部３０をポケット取付部２０から取り外してゴミ袋として使用した後、新しい第１ポケット部３０を取り付けて使用できる。取り外した第１ポケット部３０からごみを捨てた後、再び取り付けてもよい。また、例えば、包装体１０とポケット取付部２０を綿等の洗濯可能な素材で形成した場合に、第１ポケット部３０のみ交換して新しいものを接続して使用することができる。第１ポケット部３０を洗濯可能な素材とすれば、洗濯して繰り返し使用できる。
【００２９】
図４は、本実施形態に係るティッシュケース１の使用方法の一例を示している。図４（ａ）に示すように、一方の第１ポケット部３０をポケットの底部側から、包装体１０の裏面部材１２とポケット取付部２０とで形成された筒状の空間に折り込む。続いて、図４（ｂ）に示すように、他方の第１ポケット部３０をポケットの底部側から、筒状の空間に折り込む。第１ポケット部３０の短辺の長さは、包装体１０の第１の辺と同じか短く形成されているため、他方の開口部分から第１ポケット部３０がはみ出すことがなく包装体１０の大きさで収まり、包装体１０の大きさで持ち運ぶことができる。第１ポケット部３０を使用しないときは、筒状の空間に折り込んで収納しておけるため、ゴミ袋を備えたティッシュケースでありながらコンパクトな状態で携行することができる。
【００３０】
図５は、本実施形態に係るティッシュケース１の第１ポケット部３０の使用方法の一例を示している。第１ポケット部３０は、蓋部３１により、開口部分３２に蓋をすることができる。具体的には、図５（ａ）に示すように、第１ポケット部３０をポケット取付部２０から切り離し又は取り外してゴミ等を入れた後、図５（ａ）の矢印で示すように、蓋部３１を端部から開口部分３２に入れ込む。すると、図５（ｂ）に示すように、第１ポケット部３０に蓋をすることができる。これにより、細かいゴミ等、第１ポケット部３０の中身が外に出てしまう心配がない。
【００３１】
以上、本実施形態に係るティッシュケース１について説明した。本実施形態のティッシュケースによれば、ゴミ袋をコンパクトに収納できる使い勝手の良いティッシュケースを提供することができる。ティッシュケース１は、切り離し可能な第１ポケット部３０をゴミ袋として有しているため、使用済みのティッシュペーパーを第１ポケット部３０に入れてカバン等にしまうこともでき、環境美化に役立てることができる。あるいは、すぐにゴミを捨てる事ができない場合に、第１ポケット部３０にゴミを入れておき、ゴミ箱等にゴミを捨てられる状況において第１ポケット部３０を切り離して捨てることができる。また、切り離した第１ポケット部３０は、小物入れとして使用することもできる。
【００３２】
第２ポケット部２１は、ポケット取付部２０の短辺方向に開口部分２２を有し、長辺方向にポケット部分が設けられているため、第１ポケット部３０より収容部分が大きく、マスク、ハンカチ等のティッシュペーパーより大きいものを収納することができる。予備の使い捨てマスクを入れておいたり、飲食時に外したマスクを入れたりして使用することができる。
【００３３】
ティッシュケース１を、布、不織布等で形成すれば、使用時に音がせず使用場所を選ばずに使用することができる。また、ティッシュケース１を、紙や透明なポリエステル等で形成すれば、販促等の広告や宣伝用の小物として使用することができる。また、ティッシュケース１を、綿等の洗濯可能な素材で形成すれば、繰り返し使用することができる。この場合、分離可能な第１ポケット部３０のみ使い捨てとしてもよい。
【００３４】
本実施形態では、包装体１０、ポケット取付部２０、第２ポケット部２１、および第１ポケット部３０は、略矩形形状をしていたが、これに限定されない。円形、半円形、多角形、あるいは動物の顔のようなデザイン形状であってもよい。包装体１０とポケット取付部２０の所定の２か所が接続されて筒状空間Ｓを形成し、第１ポケット部３０を収納することができればどのような形状であってもよいし、大きさがそれぞれ異なっていてもよい。
【００３５】
また、本実施形態では、包装体１０とポケット取付部２０の短辺が接続され、包装体１０とポケット取付部２０の長辺側に筒状の空間が形成されたが、包装体１０とポケット取付部２０の長辺が接続され、包装体１０と平面部の短辺側に筒状の空間が形成されてもよい。あるいは、ポケット取付部２０が包装体１０より小さい場合には、ポケット取付部２０の所定の２か所が包装体１０に接続されて筒状空間Ｓが形成されてもよい。
【００３６】
また、本実施形態では、第１ポケット部３０は、蓋部３１の長辺方向と平行に開口部分３２を有していたが、ポケット取付部２０の短辺と平行な方向に開口部分を有していてもよい。この場合、蓋部３１ではなく、蓋部３１と直角なポケット部分の辺がポケット取付部２０に接続される。また、蓋部３１は、ポケット取付部２０との接続端部に切り欠かれた部分を有していてもよい。接続部分が短く切り離しやすくなり、蓋部としての使用勝手が良くなる。
【００３７】
ポケット部の大きさ及び形状は限定されない。第１ポケット部３０は、本実施形態では、異なる大きさをしていたが、同じ大きさであってもよく、第２ポケット部を備えるポケット取付部２０と同じ大きさをしていてもよい。第２ポケット部は、開口部分と直交する方向に仕切りを備えていてもよい。仕切りを設けることで、棒状のアメニティ等の小物が固定されて収納し易くなる。
【００３８】
図６は、本実施形態に係るティッシュケース１ａの変形例を示している。本変形例では、第１ポケット部３０は、第３ポケット部４０を備えている。
【００３９】
第１ポケット部３０は、ポケット取付部２０の長辺に接続された辺と直交する短辺に第３ポケット部４０を備えている。第３ポケット部４０は、略矩形形状の袋状であり、蓋部４１と、開口部分４２とを有している。第３ポケット部４０は、第１ポケット部３０の短辺と平行な方向に開口部分４２を有し、開口部分４２から延びる蓋部４１の端部が第１ポケット部３０の短辺に接続されている。異なる大きさのポケット部を備えることで、ポケット部に収納したい物の大きさに合わせてポケット部を選択することができる。図６では、ポケット取付部２０の一方の長辺に第１ポケット部３０が接続されているが、ポケット取付部２０の他方の長辺にも第１ポケット部３０および第３ポケット部４０が設けられていてもよい。
【００４０】
また、本変形例の第１ポケット部３０および第３ポケット部４０は、蓋部３１、４１の端部が切り欠かれた形状をしている。蓋部３１、４１の端部が切り欠かれた形状をしていることで、ポケット部の開口部分に蓋部を入れ込む際に先端部分を入れ込みやすくなる。
【００４１】
以上、本発明の実施形態について説明したが、上記した実施形態は、特許請求の範囲に係る発明を限定するものではない。上記の記載に基づいて、当業者であれば、本発明の追加の効果や種々の変形例を容易に想到できるかもしれないが、本発明の態様は、上述した実施形態に限定されるものではない。特許請求の範囲に規定された内容およびその均等物から導き出される本願発明の概念的な思想と趣旨を逸脱しない範囲で種々の追加、変更および部分的削除が可能である。
【００４２】
本願発明は、ティッシュケースだけでなく、ティッシュケース用のキット、ティッシュケース付き小物入れ等、様々な態様で提供することができる。もちろん、包装体１０に収納される物はティッシュペーパーに限られないし、各ポケット部に収納される物もゴミに限られない。
【符号の説明】
【００４３】
１、１ａ：ティッシュケース、１０：包装体、１１：表面部材、１２：裏面部材、１３：開口部、２０：ポケット取付部、２１：第２ポケット部、２２：開口部分、２３：平面部分、３０：第１ポケット部、３１：蓋部、３２：開口部分、３３：破線切込部、４０：第３ポケット部、４１：蓋部、４２：開口部分、Ｓ：筒状空間
【要約】
【課題】ゴミ袋をコンパクトに収納できる使い勝手の良いティッシュケースを提供する。
【解決手段】ティッシュケースは、表面部材と裏面部材とから形成され複数枚のティッシュが収容される包装体と、包装体の裏面部材と共に筒状部を形成するように裏面部材に接続された面状のポケット取付部と、ポケット取付部の筒状部の端部に接続され、筒状部に折り込み収納可能な第１ポケット部と、を備える。
【選択図】図１【図１】
0006847486.tif 000002
【図２】
0006847486.tif 000003
【図３】
0006847486.tif 000004
【図４】
0006847486.tif 000005
【図５】
0006847486.tif 000006
【図６】
0006847486.tif 000007